(57)【要約】【課題】ベッド周辺付属品の掛け寝具や掛け布団の未使用時での保管場所や手入れが不要で、かつ、ベッド周辺付属品の掛け布団の使用時での設置準備に手間が掛からない掛けシート被覆ユニット付きベッドを提供することを目的とする【解決手段】布体６と該布体６の前部と後縁部が取り付けられる左右伸縮式ポール３，３と上記左右伸縮式ポール３，３の後縁部を支持する保持金具板４、４と固定バー５、５を有する掛けシート被覆ユニット２を備え、該掛けシート被覆ユニット２が、上記左右伸縮式ポール３，３を収縮させて布体６が折りこみ収納状態で鉛直状に垂下させてベッド枠体１の後縁部に収納状態と、上記左右伸縮式ポール３，３を水平状に展開と係止をさせると共に該左右伸縮式ポール３、３に、上記布体６が追従して前方へ伸張させて、上記掛けシート被覆ユニット２が所定の位置に設置される使用状態と、に切り替え可能となるように構成している。【選択図】    図２
2004290348.tif 000002
【特許請求の範囲】
【請求項１】
布体６と該布体６の前部と後縁部が取り付けられる左右伸縮式ポール３，３と上記左右伸縮式ポール３，３の後縁部を支持する保持金具板４，４と固定バー５，５を有する掛けシート被覆ユニット２を備え、該掛けシート被覆ユニット２が、走行用ローラー、レール機構や横断面門型形成フレーム等のない、上記左右伸縮式ポール３，３を収縮させて布体６が折りこみ収納状態で鉛直状に垂下させてベッド枠体１の後縁部に収納状態と、上記左右伸縮式ポール３，３を水平状に展開と係止をさせると共に該左右伸縮式ポール３、３に、上記布体６が追従して前方へ伸張させて、上記掛けシート被覆ユニット２が所定の位置に設置される使用状態と、に切り替え可能となるように構成したことを特徴とするベッド。
【請求項２】
掛けシート被覆ユニット２の左右伸縮式ポール３、３が手動で水平状に前後方向へ伸縮可能となるように構成された請求項１記載のベッド。
【請求項３】
掛けシート被覆ユニット２の左右伸縮式ポール３、３が掛けシート被覆用電動駆動手段８にて水平状に前後方向へ伸縮可能となるように構成された請求項１記載のベッド。
【請求項４】
掛けシート被覆ユニット２の左右伸縮式ポール３、３が手動、または、掛けシート被覆用電動駆動手段８にて水平状に所定の位置に設置される使用状態において、水平姿勢を保持する保持金具板４，４と固定バー５、５を設け、上記掛けシート被覆ユニット２の布体６、及び、左右伸縮式ポール３、３が水平保持状態にて、上方などから過大外力が作用した際に、該左右伸縮式ポール３、３の揺動が可能となるように、上記固定バー５、５の基幹部を、弾性変形可能なバネ状コイルとしたことを特徴とする請求項１、２、又は３記載のベッド。
【請求項５】
掛けシート被覆ユニット２の左右伸縮ポール３、３の中空内部を利用して、該左右伸縮式ポール３，３の数箇所に穿孔された開口部１５により、外気を環流させて、布体６の被覆空間内の自然対流が可能となるように構成された請求項１，２、３又は４記載のベッド。
【請求項６】
掛けシ−ト被覆ユニット２の布体６が水平部と左右鉛直部の三面形成し、被験者と非接触状態で被覆空間を形成し、該被覆空間が温度・湿度・気流（寝床内気象）が適切にコントロール調整可能な機器等との接続が可能となるように構成された請求項１、２、３、４又は５記載のベッド。
【発明の詳細な説明】
【０００１】
【発明の属する技術分野】
本発明は、ベッドに関する。
【０００２】
【従来の技術】
従来の、家庭用一般ベッドや和式布団寝具、在宅介護用ベッド、及び、病院施設内ベッドに用いられるベッドや和式布団の掛け寝具として、リネンと毛布などの掛け寝具や中綿に、木綿わたや合成繊維や羊毛、羽毛が用いられた掛け布団寝具類等が用いられている。そして、これらの掛け寝具は、ベッド上部に常時設置がされており、また、掛け布団の一時片付け用具の使用がされている。（例えば、特許文献１参照。）、また寝具に、空気や温風機などの装置を接続したものもある。（例えば、特許文献２参照。）
【０００３】
【特許文献１】
特開平０７−００８３５７号公報（第２−９頁、第７図）
【特許文献２】
特開２０００−２３８１５号公報（第２−６頁、第１図）
【発明が解決しようとする課題】
しかしながら、従来のベッドや和式布団寝具の一時片付けや、掛け布団等の保管場所からの出し入れ、保管上の問題等により、準備するのに時間が掛かったり、大変な労力を費やすことがあった。さらに、ベッドの掛け布団の場合は、被験者の（老人や身体弱者等）被介護人を、介助する際に、掛け布団の一時片付けが必要であった。また、低学年層の子供や幼児等が自分自身では片付けることが容易でなかった。
【０００４】
そこで、本発明は、ベッド周辺付属品の掛け布団などの未使用時での保管場所や手入れが不要で、かつ、ベッド周辺付属品の掛け布団などの使用時での設置準備に手間が掛からない掛けシート被覆ユニット付きベッドを提供することを目的とする。
【０００５】
【課題を解決するための手段】
上述の目的を達成するために、本発明に係るベッドは、布体と該布体の前部と後縁部が取り付けられる左右伸縮式ポールと上記左右伸縮式ポールの後縁部を支持する保持金具板と固定バーを有する掛けシート被覆ユニットを備え、該掛けシート被覆ユニットが、走行用ローラー、レール機構等のない、上記左右伸縮式ポールを収縮させて布体が折りこみ収納状態で鉛直状に垂下させてベッド枠体の後縁部に収納状態と、上記左右伸縮式ポールを水平状に展開と係止をさせると共に該左右伸縮式ポールに、上記布体が追従して前方へ伸張させて、上記掛けシート被覆ユニットが所定の位置に設置される使用状態と、に切り替え可能となるように構成したものである。
【０００６】
また、掛けシート被覆ユニットの左右伸縮式ポール部が、手動で、水平展開させて敷布団と平行に水平状に前後方向へ伸縮可能となるように構成されている。若しくは、掛シート被覆ユニットの左右伸縮式ポール部が、掛けシ−ト被覆用電動駆動手段にて、敷布団と平行に水平状に前後方向へ伸縮可能となるように構成されている。
【０００７】
また、掛けシート被覆ユニットの左右伸縮ポールの中空内部を利用して、該左右伸縮ポールの数箇所に穿孔された開口部により、空気を環流させて、被覆空間内の自然対流が可能となるように構成されている。
【０００８】
また、掛けシート被覆ユニットの布体が水平部と左右鉛直部の三面形成し、被験者と非接触状態で被覆空間を形成し、該被覆空間が温度・湿度・気流の調整が可能な機器等の接続により上記被覆空間内が適切に（寝床内気象）コントロールが可能となるように構成されている。
【発明の実施の形態】
以下、実施の形態を示す図面に基づき、本発明を詳説する。
【０００９】
図１と、図２に、本発明に係る掛けシート被覆ユニット付きベッドの一形態を示し、本掛けシート被覆ユニット付きベッドは、ベッド枠体１と、掛けシート被覆ユニット２と、を備えている。なお、本掛けシート被覆ユニット２は、家庭用一般ベッド、和式布団寝具、在宅介護用ベッド、病院施設内ベッドの周辺付属品としての掛け布団に替わるものである。
【００１０】
べッド枠体１は後縁部に、前面に収納用凹部１０が設けられた後壁部９を有し、前板９ａの左右両端部は、収納用凹部１０の左右側部に、（図示省略の）ガイド溝にて、上下スライド自在となるように取り付けられ、前板９ａを、開閉状態、乃至、鉛直垂下状態に、切り換えることが出来る。なお、ベッドに寝ている被験者の頭部側をベッドの前側とする
【００１１】
掛けシート被覆ユニット２は、左右伸縮式ポール３、３を収縮させて布体６が折りこみ収納状態で鉛直状に垂下させてベッド枠体１の後縁部に収納状態（図３参照）と、上記左右伸縮式ポール３、３を水平状に展開と係止をさせると共に該左右伸縮式ポール３、３に、上記布体６が追従して前方へ伸張させて、上記掛けシート被覆ユニット２が所定の位置に設置される使用状態と、に切り替え可能となるように構成されている。なお、図２は、被験者の全身を被覆する使用状態を示し、図４と図８は、被験者の脚部を被覆する使用状態を示す。
又、図５では、一部横断面作用説明図を示す。
【００１２】
布体６は、例えば、快適さが感じられる布団の要因としての、物理的性能（保温性、吸湿性、放湿性、保湿性、抗菌性、防汚性）、軽量等の諸機能を有する繊維にてつくられている。また、既販売の形状（長方形、正方形）等で対応する。
【００１３】
即ち、掛けシート被覆ユニット２の収納状態では、掛けシート被覆ユニット２は、後壁部９に嵌め込まれ、ベッド枠体１に載置された（マットレス等の）敷布団１１の後端縁よりも後方に位置し、被験者にとって全く邪魔にならない  ものとなる。さらに、掛けシート被覆ユニット２は後壁部９に一体状に収納され、後壁部９が掛けシート被覆ユニット２の未使用状態での保管スペースとなる。
【００１４】
他方、掛けシート被覆ユニット２の使用状態では、布体６は、走行用ローラー、レール機構や横断面門型形成フレーム等のない、左右伸縮式ポール３，３にて、横断面門型を保持した状態で、被験者を被覆するように構成されている。このとき、図５に示すように、横断面門型に形成された布体６は、敷布団１１（マットレス等）上に寝ている被験者を非接触状状態で被覆するように構成さおり、被験者にとって全く邪魔にならないものとなる。即ち、横断面門型に形成された布体６は、被験者に接触することなく、被験者との間に適度な空間を形成するため、被験者が寝返りしても布体６が邪魔なものとならず、また、被  験者は布体６の重みを感じることがない。
【００１５】
上述のように構成された掛けシート被覆ユニット２によれば、被験者が寝たままでも（付き添い人により、）掛けシート被覆ユニット２の収納乃至取出を円滑に行える。また、コンパクトな構造でありながら、設置・保管スペースを十分に確保したものとなる。しかも、掛けシート被覆ユニット２は、既設のベッドに（後から）容易に取り付けることができ、具体的に述べると、既設のベッドの後縁部のフットボード（化粧パネル）と排他取り付ける。
【００１６】
次に、図６と、図７に、本発明の別の実施の形態を示し、和式敷き布団にも容易に設置することができ、具体的に述べると、図６に示すように、後壁部９の底部に底板９ｂを取り付けて、和式敷き布団の下に敷設する。
【００１７】
次に、図７に、連結バー７が掛けシート被覆ユニット２の左右伸縮式ポール３、３の少なくても１つ、布体６の前端縁よりも後方位置で、かつ、布体６の内面側に、（紐や吸着テープ等の）止め具１７で固定されている。従って、布体６は、走行用ローラー、レール機構や横断面門型形成フレーム等のない、左右伸縮式ポール３，３にて、水平面及び左右鉛直面の三面を形成されるように保持されて、被験者を被覆するため、被験者を確実に被覆することができる。また、布体６の前端縁が敷布団１１に接触した状態で被験者を包み込むことができ、保温性にも優れたものとなる。
【００１８】
次に、図８に、掛けシート被覆ユニット２が、電動にて、伸縮可能となるように構成されている場合を示す。また、左右伸縮式ポール３、３の内部を利用して、温度・湿度調整された空気を開口部１５より吹出しが可能な機器等との接続が出来る接続管１６が取り付けられている。
【００１９】
即ち、図９に示すように、左右伸縮式ポール３、３は、掛けシート被覆用電動駆動手段８にて、敷き布団１１と平行に前後方向へ伸縮可能となるように構成されている。
【００２０】
掛けシート被覆用電動駆動手段８は、後壁部９に配設される（モーター、ギヤ等からなる）駆動源１２と、駆動源１２に一端が連設される駆動軸１３と、駆動軸１３の他端に（ピニオンを介して）連結されると共に左右伸縮式ポール３、３の内部に配設される（フレキシブルラック等の）駆動ベルト１４と、を備え、左右伸縮式ポール３、３の最先端部が、駆動ベルト１４に固着され、駆動源１２の運転により、掛けシート被覆ユニット２が前後方向へ伸縮可能となる。なお、掛けシート被覆ユニット２の伸縮は、手元スイッチ１８にて、操作可能となる。
【００２１】
なお、掛けシート被覆ユニット２の左右伸縮式ポール３、３が手動で、敷き布団１１に平行に前後方向へ伸縮可能となるように構成してもよい。なお、左右伸縮式ポール３、３は、自動車用の電動コーナーポールのようなアンテナ式伸縮構造体に類するもので構成されている。
【００２２】
なお、本発明は、上述の実施の形態に限定されず、駆動ベルト１４の構成、及び、連結バー７の数量の増減等は、本発明の要旨を逸脱しない範囲で設計変更可能である。
【００２３】
【発明の効果】
本発明は、上述の如く構成されるので、次に記載する効果を奏する。
【００２４】
（請求項１によれば、）掛けシート被覆ユニット２の、ベッドへの、初期組み込みはもちろん、後付けも容易に行うことができる。また、掛けシート被覆ユニット２の収納及び、取出しを容易に行うことができる。即ち、掛けシート被覆ユニット２の未使用時での別途保管場所が不要で、かつ、掛けシート被覆ユニット２の使用時での設置準備に手間が掛からない。
【００２５】
（請求項２によれば、）構造が簡単となり、コストダウンが図れ、安全性の高いものとなる。
（請求項３によれば、）付き添い人（介護人）いなくても、被験者一人で掛けシート被覆ユニット２の操作を容易に行うことができる。
（請求項４によれば、）構造が簡単となり、コストダウンが図れ、安全性の高いものとなる。
【００２６】
（請求項５によれば、）掛けシート被覆ユニット２の左右伸縮式ポール３、３の中空内部を利用して、該左右伸縮式ポール３、３の数箇所に穿孔された開口部１５より外気との自然対流が可能となるため、被覆空間内は常に快適となる。
（請求項６によれば、）掛けシート被覆ユニット２の布体６が走行用ローラー、レール機構や横断面門型形成フレーム等のない、左右伸縮式ポール３，３にて、水平部と左右鉛直部の三面形成し、被験者と非接触状態で被覆空間を形成し、該被覆空間が温度・湿度・気流の調整が可能な機器１９などの接続により上記被覆空間内が適切に（寝床内気象）コントロールが可能となり、快適睡眠が得られる。
【図面の簡単な説明】
【図１】本発明の実施の一形態を示すと共に収納状態の説明を兼ねた斜視図である。
【図２】本発明の使用状態を示す斜視図である。
【図３】本発明の他の実施の形態を示すと共に分解組立の説明を兼ねた斜視図である。
【図４】本発明の使用状態を示す斜視図である。
【図５】一部横断面作用説明図である。
【図６】本発明の別の実施の形態を示す斜視図である。
【図７】本発明の使用状態を示す斜視図である。
【図８】本発明のさらに他の実施の形態を示す斜視図である。
【図９】要部拡大斜視図である。
【符号の説明】
１    ベッド枠体
２  掛けシート被覆ユニット
３    左右伸縮式ポール
４    保持金具板
５    固定バー
６    布体
７    連結バー
８    掛けシート被覆用電動駆動手段
【図１】
2004290348.tif 000003
【図２】
2004290348.tif 000004
【図３】
2004290348.tif 000005
【図４】
2004290348.tif 000006
【図５】
2004290348.tif 000007
【図６】
2004290348.tif 000008
【図７】
2004290348.tif 000009
【図８】
2004290348.tif 000010
【図９】
2004290348.tif 000011